(57)【要約】      （修正有）【課題】入力された記番号の信頼性を高め得る紙幣処理装置および記番号入力方法を提供する。【解決手段】現金自動取引装置は、記番号を入力する紙幣の種類を選択させる紙幣種類選択フィールドＦＭと、紙幣種類選択フィールドＦＭにより選択された紙幣の種類に応じた形式の記番号を入力させる記番号入力部ＩＮとからなる記番号入力画面ＤＩＰ１を生成して操作表示部に表示させ、記番号入力部ＩＮに入力された字を判定し、紙幣の種類に適した字以外の字を除外する。【選択図】図３
2015191500.tif 000002
【特許請求の範囲】
【請求項１】
記番号を入力する紙幣の種類を選択させる紙幣種類選択部と、前記紙幣種類選択部により選択された紙幣の種類に応じた形式の記番号を入力させる記番号入力部とからなる記番号入力画面を生成する表示部と、
前記記番号入力部に入力された字を判定し、前記紙幣の種類に適した字以外の字を除外する制御部と
を有する紙幣処理装置。
【請求項２】
前記紙幣の種類に適した字以外の字が前記記番号入力部に入力されたと前記制御部により判定された場合、誤入力であると利用者に通知する通知部
をさらに有する請求項１に記載の紙幣処理装置。
【請求項３】
前記表示部は、前記記番号入力部に入力される字の種類を提示する字種提示部を前記記番号入力画面にさらに表示する
請求項１に記載の紙幣処理装置。
【請求項４】
前記記番号入力部は、前記紙幣種類選択部により選択された紙幣の種類に応じた桁数の桁単位入力部により構成される
請求項１に記載の紙幣処理装置。
【請求項５】
前記記番号入力部は、所定の桁の前記桁単位入力部が選択されると、当該桁単位入力部に字を入力可能とする
請求項４に記載の紙幣処理装置。
【請求項６】
前記記番号入力部は、前記紙幣種類選択部により選択された種類の紙幣に付される記番号の字の大きさに応じた大きさの枠を前記桁単位入力部毎に有する
請求項４に記載の紙幣処理装置。
【請求項７】
前記記番号入力画面は、前記記番号入力部に入力済みの記番号の字を隣接する前記桁単位入力部に移動させる桁送りを選択させる桁送り選択部をさらに有する
請求項４に記載の紙幣処理装置。
【請求項８】
前記紙幣種類選択部は、紙幣の金種を選択させる金種選択部と、紙幣の金額を選択させる金額選択部とを有し、
前記表示部は、前記金種選択部により選択された紙幣の金種に応じた金額を選択させる金額選択部を表示させ、前記金種選択部により選択された金種と前記金額選択部により選択された金額とに応じた形式の記番号を入力させる前記記番号入力部を表示させる
請求項１に記載の紙幣処理装置。
【請求項９】
前記紙幣に付された記番号の画像を取得する画像取得部をさらに有し、
前記表示部は、前記画像取得部により取得した記番号の画像を前記記番号入力画面にさらに表示する
請求項１に記載の紙幣処理装置。
【請求項１０】
前記字種提示部は、前記記番号入力部に入力されるべき字の種類として文字又は数字を提示する
請求項３に記載の紙幣処理装置。
【請求項１１】
前記記番号入力画面は、前記記番号入力部に入力する字を利用者に選択させる入力字選択部をさらに有し、
前記表示部は、前記記番号入力部において利用者が入力を選択した桁に入力すべきでない字を前記入力字選択部において選択不可な状態とする
請求項１に記載の紙幣処理装置。
【請求項１２】
前記通知部は、前記記番号入力部における誤入力された桁の表示態様を変化させる
請求項２に記載の紙幣処理装置。
【請求項１３】
前記通知部は、誤入力されたことを前記表示部に表示させる
請求項２に記載の紙幣処理装置。
【請求項１４】
前記通知部は、誤入力されたことを音声出力する
請求項２に記載の紙幣処理装置。
【請求項１５】
記番号を入力する紙幣の種類を選択させる紙幣種類選択部と、前記紙幣種類選択部により選択された紙幣の種類に応じた形式の記番号を入力させる記番号入力部とからなる記番号入力画面を表示する表示ステップと、
前記記番号入力部に入力された字を判定し、前記紙幣の種類に適した字以外の字を除外する制御ステップと
を有する記番号入力方法。
【発明の詳細な説明】
【技術分野】
【０００１】
本発明は紙幣処理装置及び記番号入力方法に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００４】
このような現金自動取引装置には、市場に流通している偽札の記番号を記番号ブラックリストとしてオペレータが手入力で登録したり、登録されている記番号ブラックリストを手入力で修正したりする場合がある（例えば、特許文献１参照）。
【先行技術文献】
【特許文献】
【０００５】
【特許文献１】特開平５−２５０５４６号公報
【発明の概要】
【発明が解決しようとする課題】
【０００６】
しかしながら、記番号を手入力で入力したり修正したりすると、入力ミスが発生し、間違った記番号を入力してしまう可能性があった。この場合、現金自動取引装置に受け入れるべきでない偽札を見逃して受け入れてしまうことがある。また、記番号ブラックリストに登録すべきでない記番号が登録されると、偽札の記番号ではない安全な記番号の紙幣を受け入れることができなくなってしまい、現金自動取引装置の稼働率が低下してしまう可能性があった。
【０００７】
本発明は以上の点を考慮してなされたもので、信頼性を高め得る紙幣処理装置及び記番号入力方法を提案しようとするものである。
【課題を解決するための手段】
【０００８】
かかる課題を解決するため本発明の紙幣処理装置においては、記番号を入力する紙幣の種類を選択させる紙幣種類選択部と、紙幣種類選択部により選択された紙幣の種類に応じた形式の記番号を入力させる記番号入力部とからなる記番号入力画面を生成する表示制御部と、記番号入力画面を表示する表示部と、記番号入力部に入力された字を判定し、紙幣の種類に適した字以外の字を除外する制御部とを設けるようにした。
【０００９】
この紙幣処理装置は、不適格な記番号の字を入力させることを防止できる。
【００１０】
また本発明の記番号入力方法においては、記番号を入力する紙幣の種類を選択させる紙幣種類選択部と、紙幣種類選択部により選択された紙幣の種類に応じた形式の記番号を入力させる記番号入力部とからなる記番号入力画面を表示する表示ステップと、記番号入力部に入力された字を判定し、紙幣の種類に適した字以外の字を除外する制御ステップとを設けるようにした。
【００１１】
この記番号入力方法は、不適格な記番号の字を入力させることを防止できる。
【発明の効果】
【００１２】
本発明によれば、不適格な記番号の字を入力させることを防止でき、かくして本発明は、信頼性を高め得る紙幣処理装置及び記番号入力方法を実現できる。
【図面の簡単な説明】
【００１３】
【図１】現金自動取引装置の構成を示す斜視図である。
【図２】紙幣入出金機の構成を示す左側面図である。
【図３】日本円の記番号入力画面の構成を示す略線図である。
【図４】中国元の記番号入力画面の構成を示す略線図である。
【図５】記番号登録処理手順を示すフローチャートである。
【図６】記番号登録処理における記番号入力画面の構成（１）を示す略線図である。
【図７】記番号登録処理における記番号入力画面の構成（２）を示す略線図である。
【図８】記番号登録処理における記番号入力画面の構成（３）を示す略線図である。
【図９】記番号登録処理における記番号入力画面の構成（４）を示す略線図である。
【図１０】記番号登録処理における記番号入力画面の構成（５）を示す略線図である。
【図１１】記番号修正処理手順（１）を示すフローチャートである。
【図１２】記番号修正処理手順（２）を示すフローチャートである。
【図１３】記番号修正処理における記番号入力画面の構成（１）を示す略線図である。
【図１４】記番号修正処理における記番号入力画面の構成（２）を示す略線図である。
【図１５】記番号修正処理における記番号入力画面の構成（３）を示す略線図である。
【図１６】他の実施の形態による日本円の記番号入力画面の構成（１）を示す略線図である。
【図１７】他の実施の形態による日本円の記番号入力画面の構成（２）を示す略線図である。
【発明を実施するための形態】
【００１４】
以下、発明を実施するための形態（以下実施の形態とする）について、図面を用いて説明する。
【００１５】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。筐体２は、その前側に顧客が対峙した状態で紙幣の投入やタッチパネルによる操作等をしやすい箇所に接客部３が設けられている。
【００１６】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉塞するようになされている。操作表示部６は、取引に際して操作画面を表示するＬＣＤ（Liquid Crystal Display）と、取引の種類の選択、暗証番号や取引金額等を入力するタッチパネルとが一体化されている。
【００１７】
この操作表示部６は、後述する記番号ブラックリストに新たな記番号を新規登録する際の記番号入力画面や、既に記番号ブラックリストに登録された記番号を修正する際の記番号入力画面等、後述する主制御部９により表示制御された画像を表示する。
【００１８】
テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部３０から所定のプログラムを読み出して実行することにより、各部を制御して入金取引、出金取引、記番号登録処理や記番号修正処理等の種々の処理を行う。記憶部３０は、市場に流通している偽札の記番号を記番号ブラックリストとして記憶する。
【００２０】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００２１】
［１−２．紙幣入出金機の内部構成］
紙幣入出金機１０は、図２に示すように、制御部１２が各部（紙幣入出金部１６、搬送部２４、鑑別部１８、一時保留部２０、紙幣収納庫２６及びリジェクト庫２８）を統括制御する。
【００２２】
制御部１２は、図示しないＣＰＵを中心に構成されており、ＲＯＭ、ＲＡＭ、ハードディスクドライブやフラッシュメモリ等でなる記憶部（図示せず）から所定のプログラムを読み出して実行することにより、各部を制御して入金取引や出金取引等の種々の処理を行う。
【００２３】
紙幣入出金機１０の内部には、上側に紙幣入出金部１６、紙幣の金種や真偽を判定する鑑別部１８及び入金紙幣等を一時的に保留する一時保留部２０等が設けられている。
【００２４】
紙幣入出金部１６は、顧客から投入された紙幣を１枚ずつ分離し搬送部２４へ繰り出す。搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、紙幣収納庫２６及びリジェクト庫２８とを接続している。
【００２５】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として制御部１２へ通知する。これに応じて制御部１２は、取得した鑑別結果及び識別結果に基づいて当該紙幣の搬送先を決定する。
【００２６】
記番号は、アルファベット等の文字と、０〜９の数字とにより構成されている。この記番号は、紙幣が現金自動取引装置１内部でジャムした場合や、顧客が取り忘れた紙幣を現金自動取引装置１が取り込んだ場合等、紙幣の特定が必要な際に、保存された記番号識別結果から紙幣を特定し、顧客へ証拠情報として提示する際に用いられる。また記番号は、現金自動取引装置１において偽札が発見された場合、偽札の記番号と、保存された記番号識別結果及び取引情報を照合し、現金自動取引装置１へ入金された経緯を特定したり、顧客が入金した紙幣の場合、顧客へ証拠情報として提示したりする際に用いられる。さらに記番号は、大量に流通している偽札があり、それらの偽札の記番号が特定されている場合、予めそれらの記番号を記番号ブラックリストとして記憶部３０に登録し、ある一定数以上の字数が一致した紙幣が入金された場合にその紙幣を偽札として検出する際にも用いられる。
【００２７】
一時保留部２０は、入金時に顧客が紙幣入出金部１６へ投入した紙幣を一時的に保留し、鑑別部１８で入金可能と鑑別された正常紙幣を入金が確定するまで一時的に保留する一方、入金不可と鑑別されたリジェクト紙幣を紙幣入出金部１６へ排出する。
【００２８】
また紙幣入出金機１０の内部には、下側に金種別の紙幣収納庫２６と、鑑別部１８において破損した紙幣（いわゆる損券）と鑑別された紙幣、偽札と判別された紙幣及び５千券や２千券等の還流されない金種の紙幣を格納するリジェクト庫２８とが設けられている。紙幣収納庫２６は、収納排出機構により、搬送部２４から搬送されてきた紙幣を取り込んで収納すると共に、収納されている紙幣を排出して搬送部２４へ供給する。
【００２９】
かかる構成において現金自動取引装置１は、鑑別部１８による紙幣の鑑別結果及び識別結果等をもとに主制御部９及び制御部１２が各部を制御して、紙幣の入金処理及び出金処理を行う。
【００３０】
すなわち現金自動取引装置１は、入金取引時、利用者により操作表示部６を介して入金取引が選択され、さらに入出金口５に紙幣が投入されると、投入された紙幣を紙幣入出金部１６から１枚ずつ鑑別部１８に搬送する。ここで現金自動取引装置１は、鑑別部１８の鑑別結果及び識別結果に基づき入金可能と判定された紙幣については一時保留部２０に搬送して一時的に収納する。一方で現金自動取引装置１は、入金に適さないと判定された紙幣については紙幣入出金部１６へ戻して、シャッタを開くことで利用者に返却する。その後利用者により入金金額が確定されると、現金自動取引装置１は、一時保留部２０に収納している紙幣を鑑別部１８に搬送して鑑別結果及び記番号の識別結果を得る。ここで現金自動取引装置１は、鑑別部１８の鑑別結果及び識別結果に基づき収納可能と判定された紙幣については、その金種に応じて各紙幣収納庫２６へ搬送して保管する。一方で現金自動取引装置１は、記番号ブラックリストに登録されている記番号と一定数以上の字数が一致した記番号が付された紙幣等、収納に適さないと判定された紙幣については、リジェクト庫２８へ搬送する。
【００３１】
一方出金取引時、現金自動取引装置１は、利用者により操作表示部６を介して出金取引が選択され出金金額が入力されると、要求金額に応じて必要な金種毎の紙幣枚数を認識し、この金種毎の紙幣枚数に応じて各紙幣収納庫２６から紙幣を繰り出して鑑別部１８に搬送して鑑別結果及び記番号の識別結果を得る。ここで現金自動取引装置１は、鑑別部１８の鑑別結果及び識別結果に基づき出金可能と判定された紙幣については紙幣入出金部１６に搬送する。一方で現金自動取引装置１は、出金に適さないと判定された紙幣については一時保留部２０に搬送して一時的に収納する。そして要求金額分の紙幣が紙幣入出金部１６へ集積されると、現金自動取引装置１は、シャッタを開ける。これにより紙幣入出金部１６内に集積されている紙幣の受け取りが可能な状態となり、利用者がこの紙幣を受け取る。その後現金自動取引装置１は、一時保留部２０に収納している紙幣をリジェクト庫２８へと搬送して保管する。
【００３２】
［１−３．記番号入力画面］
主制御部９は、記番号ブラックリストに新たな記番号を新規登録する記番号登録処理か、又は既に記番号ブラックリストに登録された記番号を修正する記番号修正処理かの何れかを行う場合、図３に示す記番号入力画面ＤＩＰ１を操作表示部６に表示させる。
【００３３】
記番号入力画面ＤＩＰ１は、左側に紙幣種類選択部としての紙幣種類選択フィールドＦＭが、右側に入力フィールドＦＩが設けられている。紙幣種類選択フィールドＦＭは、上側に金種選択部としての金種選択フィールドＦＭＳが、下側に金額選択部としての金額選択フィールドＦＭＡが設けられている。
【００３４】
金種選択フィールドＦＭＳには、上から下に向かって日本円ボタンＢＪ、中国元ボタンＢＣ及びＵＳＤボタンＢＵが順次配された金種ボタン群ＧＢＭＳが表示される。金額選択フィールドＦＭＡには、金種選択フィールドＦＭＳにおいて日本円ボタンＢＪが選択された場合、図３に示すように上から下に向かって１万円ボタンＢＪＭＡ１００００、５千円ボタンＢＪＭＡ５０００及び１千円ボタンＢＪＭＡ１０００が順次配された金額ボタン群ＧＢＭＡが表示される。ここで、図３においては日本円で１万円が選択された状態を示している。
【００３５】
一方金種選択フィールドＦＭＳにおいて中国元ボタンＢＣが選択された場合、金額選択フィールドＦＭＡには、図４に示すように上側に１００元ボタンＢＣＭＡ１００、下側に５０元ボタンＢＣＭＡ５０が配された金額ボタン群ＧＢＭＡが表示される。ここで、図４においては中国元で１００元が選択された状態を示している。
【００３６】
入力フィールドＦＩには、下側に入力字選択部としてのいわゆるＱＷＥＲＴＹ配列のソフトウェアキーボードＳＫＢが表示されている。ソフトウェアキーボードＳＫＢの上側には、左から右に向かって登録ボタンＢＤＲ、キャンセルボタンＢＤＣ及び呼び出しボタンＢＤＤが順次配された指示ボタン群ＧＢＤが表示されている。
【００３７】
指示ボタン群ＧＢＤの上側には、紙幣種類選択フィールドＦＭにおいて選択された種類の紙幣が有している記番号の桁数だけ独立して桁単位入力部ＩＧが左右に並んで配された記番号入力部ＩＮが表示されている。桁単位入力部ＩＧは、四角形の桁単位枠ＧＦにより構成されており、当該桁単位枠ＧＦ内部に記番号の１桁を表示する。記番号入力部ＩＮにおける全ての桁単位入力部ＩＧの桁単位枠ＧＦは、同一の大きさの四角形となっている。ここで、図３においては日本円の１万円に付されている９桁の記番号に応じて９個の桁単位入力部ＩＧが表示されている。一方図４においては中国元の１００元に付されている１０桁の記番号に応じて１０個の桁単位入力部ＩＧが表示されている。
【００３８】
記番号入力部ＩＮの下側には、それぞれの桁単位入力部ＩＧ毎に入力すべき字の種類として”英語”又は”数字”を提示する字種提示部ＳＬＴが表示されている。また、図３及び図４にハッチングで示すように、英語を入力すべき桁単位入力部ＩＧにおける桁単位枠ＧＦの内部は、数字を入力すべき桁単位入力部ＩＧにおける桁単位枠ＧＦの内部と比べて、色が付加されている。記番号入力画面ＤＩＰ１は、このような字種提示部ＳＬＴと、桁単位入力部ＩＧにおける着色とにより、作業者に対し、英語又は数字の何れかを入力すべき桁であるかを一目で認識させている。記番号入力部ＩＮの上側には、記番号修正処理時に記番号ブラックリストから呼び出した記番号を表示させる呼出記番号表示部ＤＤＮが表示されている。
【００３９】
［１−４．記番号登録処理］
次に、現金自動取引装置１による記番号登録処理の具体的な処理手順について、図５に示すフローチャートを用いて詳細に説明する。記番号登録処理においては、図３に示す日本円の記番号を登録する場合について説明する。
【００４０】
主制御部９は、操作表示部６を介して作業者により記番号登録処理が選択されると、記憶部３０から記番号登録プログラムを読み出して実行することにより記番号登録処理手順ＲＴ１を開始し、ステップＳＰ１へ移る。
【００４１】
ステップＳＰ１において主制御部９は、図６に示すように操作表示部６の記番号入力画面ＤＩＰ１に金種ボタン群ＧＢＭＳ、指示ボタン群ＧＢＤ及びソフトウェアキーボードＳＫＢを表示させ、ステップＳＰ２へ移る。この状態において記番号入力画面ＤＩＰ１には、金額ボタン群ＧＢＭＡ、呼出記番号表示部ＤＤＮ、記番号入力部ＩＮ及び字種提示部ＳＬＴは表示されていない。ステップＳＰ２において主制御部９は、作業者により金種ボタン群ＧＢＭＳのうちの何れかのボタンが選択されたか否かを判定し、ここで肯定結果が得られるとステップＳＰ３へ移り、図７に示すように、選択された金種に対応する金額ボタン群ＧＢＭＡを金額選択フィールドＦＭＡに表示させ、ステップＳＰ４へ移る。ステップＳＰ４において主制御部９は、作業者により金額ボタン群ＧＢＭＡのうちの何れかのボタンが選択されたか否かを判定し、ここで肯定結果が得られるとステップＳＰ５へ移り、図８に示すように、選択された金額に対応する呼出記番号表示部ＤＤＮ、記番号入力部ＩＮ及び字種提示部ＳＬＴを入力フィールドＦＩに表示させ、ステップＳＰ６へ移る。
【００４２】
ここで、作業者は、入力を行う桁単位入力部ＩＧを押下して選択する。ステップＳＰ６において主制御部９は、選択された桁単位入力部ＩＧの桁単位枠ＧＦの内部に、字を入力する位置を示すカーソルである上下に延びる棒状の入力フィードＩＦを表示させると共に、当該桁単位入力部ＩＧのみ字を入力可能な状態とし、他の桁単位入力部ＩＧには字を入力不可な状態とする。作業者は、ソフトウェアキーボードＳＫＢのうちの何れかの字を押下することにより、桁単位入力部ＩＧに字を入力する。
【００４３】
ステップＳＰ７において主制御部９は、記番号入力部ＩＮの桁単位入力部ＩＧに入力された字が、選択された桁単位入力部ＩＧに対し入力すべき字であったか否かを判定する。具体的には主制御部９は、例えば英語を入力すべき桁単位入力部ＩＧに作業者が数字を誤って入力した場合や、英語の中でも定められたアルファベットしか使用されない桁単位入力部ＩＧに対し、当該定められたアルファベット以外のアルファベットを作業者が誤って入力した場合、当該桁単位入力部ＩＧに入力された字は、当該桁単位入力部ＩＧに対し入力すべき字でなかったと判定する。ステップＳＰ７において否定結果が得られると、主制御部９はステップＳＰ８へ移り、例えば図９に模式的に示すように、誤入力された桁単位入力部ＩＧにおける入力フィードＩＦを点滅させることにより、入力した字は誤入力である旨を作業者に通知し、ステップＳＰ７へ戻り、入力すべき字が桁単位入力部ＩＧへ入力されることを待ち受ける。
【００４４】
一方ステップＳＰ７において肯定結果が得られると、主制御部９はステップＳＰ９へ移り、全ての桁単位入力部ＩＧに字が入力されたか否かを判定する。ここで肯定結果が得られると、このことは図１０に示すように全ての桁単位入力部ＩＧに対し少なくとも誤入力とは判定されない字が入力されたことを表し、このとき主制御部９はステップＳＰ１０へ移り、作業者によりキャンセルボタンＢＤＣが選択されたか否かを判定する。ここで肯定結果が得られると、このことは作業者が記番号を登録する意思をなくしたことを表し、このとき主制御部９はステップＳＰ１３へ移り記番号登録処理手順ＲＴ１を終了する。
【００４５】
一方ステップＳＰ１０において否定結果が得られると、主制御部９はステップＳＰ１１へ移り、作業者により登録ボタンＢＤＲが選択されたか否かを判定する。ここで肯定結果が得られると、このことは記番号入力部ＩＮに入力した記番号を作業者が登録する意思があることを表し、このとき主制御部９はステップＳＰ１２へ移る。ステップＳＰ１２において主制御部９は、記番号入力部ＩＮに入力された記番号を記憶部３０の記番号ブラックリストに登録し、ステップＳＰ１３へ移り記番号登録処理手順ＲＴ１を終了する。
【００４６】
［１−５．記番号修正処理］
次に、現金自動取引装置１による記番号修正処理の具体的な処理手順について、図１１及び図１２に示すフローチャートを用いて詳細に説明する。記番号修正処理においては、図３に示した日本円の記番号を修正する場合について説明する。
【００４７】
主制御部９は、操作表示部６を介して作業者により記番号修正処理が選択されると、記憶部３０から記番号修正プログラムを読み出して実行することにより記番号修正処理手順ＲＴ２を開始し、ステップＳＰ２１へ移る。ステップＳＰ２１〜ＳＰ３０において主制御部９は、記番号登録処理手順ＲＴ１におけるステップＳＰ１〜ＳＰ１０と同様の処理を行い、ステップＳＰ３１へ移る。
【００４８】
ステップＳＰ３１において主制御部９は、作業者により呼び出しボタンＢＤＤ（図１０）が選択されたか否かを判定する。ここで肯定結果が得られると、このことは作業者が入力した記番号に一致する記番号を記番号ブラックリストから呼び出して修正する意思があることを表し、このとき主制御部９はステップＳＰ３２へ移る。
【００４９】
ステップＳＰ３２において主制御部９は、記番号入力部ＩＮに入力された記番号と一致する記番号が、記憶部３０の記番号ブラックリストに存在するか否かを判定する。ここで否定結果が得られた場合、主制御部９はステップＳＰ４１へ移り記番号修正処理手順ＲＴ２を終了する。一方ここで肯定結果が得られた場合、主制御部９はステップＳＰ３３へ移り、入力された記番号に一致する記番号を記番号ブラックリストから呼び出し、図１３に示すように呼出記番号表示部ＤＤＮ及び記番号入力部ＩＮに表示させ、ステップＳＰ３４へ移る。
【００５０】
ここで、作業者は、修正を行う桁単位入力部ＩＧを押下して選択する。ステップＳＰ３４において主制御部９は、選択された桁単位入力部ＩＧの桁単位枠ＧＦの内部に入力フィードＩＦを表示させると共に、当該桁単位入力部ＩＧのみ字を修正可能な状態とし、他の桁単位入力部ＩＧの字は修正不可な状態とする。ステップＳＰ３５において主制御部９は、図１４に模式的に示すように、選択された桁単位入力部ＩＧの桁単位枠ＧＦを点滅表示させることにより、修正しようとしている桁を一目で作業者に認識させ、ステップＳＰ３６へ移る。作業者は、ソフトウェアキーボードＳＫＢのうちの何れかの字を押下することにより、桁単位入力部ＩＧに字を入力し上書きする。
【００５１】
ステップＳＰ３６において主制御部９は、ステップＳＰ２７と同様に、記番号入力部ＩＮの桁単位入力部ＩＧに入力された字が、選択された桁単位入力部ＩＧに対し入力すべき字であったか否かを判定する。ステップＳＰ３６において否定結果が得られると、主制御部９はステップＳＰ３７へ移り、例えば図９に示したように、誤入力された桁単位入力部ＩＧにおける入力フィードＩＦを点滅させることにより、入力した字は誤入力である旨を作業者に通知し、ステップＳＰ３６へ戻り、入力すべき字が桁単位入力部ＩＧへ入力されることを待ち受ける。
【００５２】
一方ステップＳＰ３６において肯定結果が得られると、主制御部９はステップＳＰ３８へ移り、作業者によりキャンセルボタンＢＤＣが選択されたか否かを判定する。ここで肯定結果が得られると、このことは作業者が記番号を修正する意思をなくしたことを表し、このとき主制御部９はステップＳＰ４１へ移り記番号修正処理手順ＲＴ２を終了する。
【００５３】
一方ステップＳＰ３８において否定結果が得られると、主制御部９はステップＳＰ３９へ移り、図１５において作業者により登録ボタンＢＤＲが選択されたか否かを判定する。ここで否定結果が得られると、このことは作業者が他の桁をまだ修正しようとしていることを表し、このとき主制御部９はステップＳＰ３４へ戻り、修正を行う桁単位入力部ＩＧの選択を待ち受ける。一方ここで肯定結果が得られると、このことは記番号入力部ＩＮに上書きした記番号を作業者が再登録する意思があることを表し、このとき主制御部９はステップＳＰ４０へ移る。ステップＳＰ４０において主制御部９は、記番号入力部ＩＮに上書き入力された記番号を記憶部３０の記番号ブラックリストに再登録することにより更新し、ステップＳＰ４１へ移り記番号修正処理手順ＲＴ２を終了する。
【００５４】
［１−６．効果］
以上の構成において、現金自動取引装置１は、記番号入力部ＩＮに入力された記番号の字を判定し、紙幣種類選択フィールドＦＭにおいて選択された種類の紙幣に適した字以外の字の入力を除外するようにした。これにより現金自動取引装置１は、不適格な記番号の字を入力させることを防止できる。
【００５５】
また現金自動取引装置１は、不適格な字が入力された場合、通知部としての主制御部９及び操作表示部６により、誤入力された桁単位入力部ＩＧにおける入力フィードＩＦを点滅させるようにした。これにより現金自動取引装置１は、入力した字は誤入力である旨を作業者に認識させ、事前に入力ミスに気付かせることができ、誤入力を防止し正しい種類の字を入力することを促すことができる。
【００５６】
さらに現金自動取引装置１は、記番号入力部ＩＮに対応させて字種提示部ＳＬＴを表示させると共に、英語が入力されるべき桁単位入力部ＩＧと数字が入力されるべき桁単位入力部ＩＧとで色を変更するようにした。これにより現金自動取引装置１は、英語又は数字の何れを入力すべき桁であるか作業者に認識させやすくすることができる。
【００５７】
さらに現金自動取引装置１は、紙幣種類選択フィールドＦＭにおいて選択された種類の紙幣が有する記番号の桁数だけ互いに独立して区切って桁単位入力部ＩＧを左右に並べて記番号入力部ＩＮを構成すると共に、作業者により選択された桁単位入力部ＩＧにのみ字を入力可能な状態とするようにした。これにより現金自動取引装置１は、これにより記番号が桁毎に独立して選択可能となっていない場合と比較して、記番号登録処理時においては、登録する記番号の桁数の過不足をなくすことができると共に、記番号修正処理時においては、入力する桁を限定し、誤修正を防止できる。このため現金自動取引装置１は、当該現金自動取引装置１の運用時において排除すべき紙幣を取り込んでしまったり、偽札の記番号ではない安全な記番号の紙幣を受け入れることができなくなったりする等のトラブルを防止できる。
【００５８】
また一般的に、現金自動取引装置に登録されている記番号ブラックリストを修正する状況は急を要することが多いため、修正ミスが発生してしまう可能性が高い。これに対し現金自動取引装置１においては、そのように急いで記番号ブラックリストを修正したい場合であっても、記番号の入力を補助し、誤入力を防止することができる。
【００５９】
さらに現金自動取引装置１は、記番号修正処理時、記番号ブラックリストから呼び出した記番号を呼出記番号表示部ＤＤＮに表示させるようにした。これにより現金自動取引装置１は、記番号入力部ＩＮにおいて作業者が記番号を修正する際、呼出記番号表示部ＤＤＮと見比べることができ、修正点を一目で作業者に認識させることができる。
【００６０】
以上の構成によれば、現金自動取引装置１は、記番号を入力する紙幣の種類を選択させる紙幣種類選択フィールドＦＭと、紙幣種類選択フィールドＦＭにより選択された紙幣の種類に応じた形式の記番号を入力させる記番号入力部ＩＮとからなる記番号入力画面ＤＩＰ１を生成して操作表示部６に表示させ、記番号入力部ＩＮに入力された字を判定し、紙幣の種類に適した字以外の字を除外するようにした。これにより現金自動取引装置１は、不適格な記番号の字を入力させることを防止できる。
【００６１】
［２．他の実施の形態］
なお上述した実施の形態においては、金種選択フィールドＦＭＳの金種ボタン群ＧＢＭＳを記番号入力画面ＤＩＰ１に表示する場合について述べた。本発明はこれに限らず、例えば現金自動取引装置１を設置する国又は地域において単一の金種のみが取り扱われる場合、金種選択フィールドＦＭＳを表示せず、金額選択フィールドＦＭＡの金額ボタン群ＧＢＭＡを最初から表示しても良い。
【００６２】
また上述した実施の形態においては、記番号入力部ＩＮの桁単位入力部ＩＧに記番号の字を入力させて当該字を記番号入力画面ＤＩＰ１に表示させてから、誤入力の場合入力フィードＩＦを点滅させる場合について述べた。本発明はこれに限らず、誤入力の場合、入力された字を記番号入力画面ＤＩＰ１に表示させずに、入力フィードＩＦを点滅させても良い。
【００６３】
さらに本発明においては、図１６に示す記番号入力画面ＤＩＰ１０１のように、選択された桁単位入力部ＩＧが、英語が入力されるべき桁の場合はソフトウェアキーボードＳＫＢにおける数字キーを表示させないようにしたり、逆に数字が入力されるべき桁の場合はソフトウェアキーボードＳＫＢにおける英語キーを表示させないようにしたりしても良い。また、選択させない字をソフトウェアキーボードＳＫＢにおいてグレーアウトしたり、ソフトウェアキーボードＳＫＢに表示させるものの押下されても反応しないようにしたりしても良く、要は不適格な種類の字をソフトウェアキーボードＳＫＢから選択不可な状態とすれば良い。
【００６４】
さらに上述した実施の形態においては、特に日本円の場合、記番号入力部ＩＮにおける全ての桁単位枠ＧＦを同一の大きさにする場合について述べた。本発明はこれに限らず、現金自動取引装置１が設置される国又は地域によっては、桁によって記番号の字の大きさ（すなわち紙幣上で占める面積）が違う場合があるため、桁単位枠ＧＦの大きさを記番号の桁毎の字の大きさに対応した大きさとしても良い。この場合、表示されている桁単位枠ＧＦの大きさを視認することにより入力すべき字の種類を作業者が認識できるため、正確に記番号を入力させることができる。
【００６５】
さらに本発明においては、画像取得部としての鑑別部１８において取得した紙幣の画像データのうち、記番号が印刷された箇所の画像データを記番号入力画面ＤＩＰ１に表示しても良い。
【００６６】
さらに、中国元の場合、記番号の先頭４桁は英語又は数字が２桁ずつと定められているため、作業者が先頭４桁のうち何れかの２桁に英語を入力したら、残りの２桁における字種提示部ＳＬＴは数字と表示しても良い。また先頭４桁のうち３桁以上英語を入力したら場合はその入力は除外するようにしても良い。
【００６７】
さらに上述した実施の形態においては、記番号の誤入力を検出した際、入力フィードＩＦを点滅させることにより作業者に通知する場合について述べた。本発明はこれに限らず、例えば図示しないスピーカを介し音声により通知しても良く、要は視覚や聴覚等により作業者に誤入力を通知できれば良い。
【００６８】
さらに上述した実施の形態においては、全ての数字とアルファベットとをソフトウェアキーボードＳＫＢに表示させる場合について述べた。本発明はこれに限らず、例えば日本円の記番号においては、”Ｉ”や”Ｏ”等は使用されないため、金種として日本円が選択された場合、ソフトウェアキーボードＳＫＢにおいて”Ｉ”や”Ｏ”を表示しなくしたり、”Ｉ”や”Ｏ”を押下されたら使用不可文字であることを通知したりしても良い。
【００６９】
さらに本発明においては、ソフトウェアキーボードＳＫＢに”＊”を設け、記番号登録処理時において、記番号入力部ＩＮに例えば”ＫＦ７０１５７６＊”と入力することにより、ロット単位でまとめて記番号ブラックリストに記番号を登録しても良い。また、記番号修正処理時において、記番号入力部ＩＮに例えば”Ｋ＊＊＊＊＊＊＊＊”と入力することにより、記番号ブラックリストにおける最上位桁が”Ｋ”の記番号を所定の箇所に一覧で表示しても良い。
【００７０】
さらに上述した実施の形態においては、文字としてアルファベットが用いられる記番号を入力する場合に本発明を適用する場合について述べた。本発明はこれに限らず、現金自動取引装置１が設置される国又は地域に応じた種々の文字や記号が用いられる記番号を入力する場合に本発明を適用しても良い。
【００７１】
さらに上述した実施の形態においては、図１７に示す記番号入力画面ＤＩＰ２０１のように、例えば指示ボタン群ＧＢＤと字種提示部ＳＬＴとの間に、左側に左送りボタンＢＳＬ、右側に右送りボタンＢＳＲが配された桁送り選択部としての桁送りボタン群ＧＢＳを表示させても良い。左送りボタンＢＳＬが作業者に選択させると、現金自動取引装置１は、記番号入力部ＩＮにおける桁単位入力部ＩＧに入力されている字を、１桁ずつ左側の桁単位入力部ＩＧへシフト移動させる。一方右送りボタンＢＳＲが作業者に選択させると、現金自動取引装置１は、記番号入力部ＩＮにおける桁単位入力部ＩＧに入力されている字を、１桁ずつ右側の桁単位入力部ＩＧへシフト移動させる。これにより現金自動取引装置１は、桁毎に区切られた桁単位入力部ＩＧにより１桁ずつ記番号を入力する場合であっても、途中で字を入力している桁が間違っていることに作業者が気付いた際、入力した桁全体を左右に移動させることにより、記番号の全ての桁を入力しなおす手間を省き、記番号を入力する際の利便性を向上させることができる。
【００７２】
さらに上述した実施の形態においては、例えば日本円の場合、金種選択フィールドＦＭＳには日本円ボタンＢＪ、中国元ボタンＢＣ及びＵＳＤボタンＢＵを表示させ、金額選択フィールドＦＭＡには、日本円の場合１万円ボタンＢＪＭＡ１００００、５千円ボタンＢＪＭＡ５０００及び１千円ボタンＢＪＭＡ１０００を、中国元の場合１００元ボタンＢＣＭＡ１００及び５０元ボタンＢＣＭＡ５０を表示させる場合について述べた。本発明はこれに限らず、現金自動取引装置１において例えば中国元を取り扱わない場合、中国元ボタンＢＣを表示させないか又はグレーアウトしたり、現金自動取引装置１において例えば５千円を取り扱わない場合、５千円ボタンＢＪＭＡ５０００を表示させないか又はグレーアウトしたりすることにより、現金自動取引装置１において取り扱う紙幣の金種及び金額のみ選択可能としても良い。
【００７３】
さらに上述した実施の形態においては、操作表示部６に表示した記番号入力画面ＤＩＰ１におけるソフトウェアキーボードＳＫＢにより作業者に記番号を入力させる場合について述べた。本発明はこれに限らず、現金自動取引装置１に有線又は無線で接続した物理的なキーボードにより作業者に記番号を入力させても良い。
【００７４】
さらに上述した実施の形態においては、記番号入力部ＩＮを、紙幣の種類に応じた桁数の分だけ配された桁単位入力部ＩＧで構成することにより、記番号を桁毎に区切って表示し桁毎に入力させる場合について述べた。本発明はこれに限らず、記番号を桁毎に区切って表示せず、桁毎に入力させなくても良い。
【００７５】
さらに上述した実施の形態においては、記番号入力部ＩＮにおける全ての桁単位入力部ＩＧの下側に、字種提示部ＳＬＴにおける”数字”又は”英語”を表示させる場合について述べた。本発明はこれに限らず、記番号入力部ＩＮにおける一部の桁単位入力部ＩＧの下側にのみ、字種提示部ＳＬＴにおける”数字”又は”英語”を表示させても良い。また字種提示部ＳＬＴを表示させなくても良い。
【００７６】
さらに上述した実施の形態においては呼出記番号表示部ＤＤＮを表示させる場合について述べたが、当該呼出記番号表示部ＤＤＮは表示させずに省略しても良い。
【００７７】
さらに上述した実施の形態においては、記番号入力画面ＤＩＰ１を操作表示部６に表示する場合について述べた。本発明はこれに限らず、現金自動取引装置１の背面に保守用画面操作部を設け、当該保守用画面操作部に記番号入力画面ＤＩＰ１を表示し、作業者に操作入力させても良い。
【００７８】
さらに上述した実施の形態においては、記憶部３０に予め記憶させておいた記番号登録プログラム及び記番号修正プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から記番号登録プログラム及び記番号修正プログラムを取得して実行しても良い。
【００７９】
さらに上述した実施の形態においては、現金を取引する現金自動取引装置１において、媒体としての紙幣の記番号を登録及び修正する場合に本発明を適用する場合について述べた。本発明はこれに限らず、例えば商品券や金券、入場券等のような薄い紙状の媒体に付された固有な識別字を登録又は修正する種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００８０】
さらに上述した実施の形態においては、入金取引及び出金取引を行う現金自動取引装置１に本発明を適用する場合について述べたが、入金取引のみを行う装置又は出金取引のみを行う装置に本発明を適用しても良い。
【００８１】
さらに上述した実施の形態においては、表示部としての操作表示部６と、制御部としての主制御部９とによって、紙幣処理装置としての現金自動取引装置１を構成する場合について述べた。本発明はこれに限らず、その他種々の構成でなる表示部と、制御部とによって、紙幣処理装置を構成しても良い。
【産業上の利用可能性】
【００８２】
本発明は、紙幣の記番号を判別し管理する種々の装置でも利用できる。
【符号の説明】
【００８３】
１……現金自動取引装置、２……筐体、３……接客部、４……カード入出口、５……入出金口、６……操作表示部、７……テンキー、８……レシート発行口、９……主制御部、１０……紙幣入出金機、１２……制御部、１４……記憶部、１６……紙幣入出金部、１８……鑑別部、２０……一時保留部、２４……搬送部、２６……紙幣収納庫、２８……リジェクト庫、３０……記憶部、ＤＩＰ１、ＤＩＰ１０１、ＤＩＰ２０１……記番号入力画面、ＦＭ……紙幣種類選択フィールド、ＦＭＳ……金種選択フィールド、ＦＭＡ……金額選択フィールド、ＦＩ……入力フィールド、ＢＪ……日本円ボタン、ＢＣ……中国元ボタン、ＢＵ……ＵＳＤボタン、ＧＢＭＳ……金種ボタン群、ＧＢＭＡ……金額ボタン群、ＢＪＭＡ１００００……１万円ボタン、ＢＪＭＡ５０００……５千円ボタン、ＢＪＭＡ１０００……１千円ボタン、ＢＣＭＡ１００……１００元ボタン、ＢＣＭＡ５０……５０元ボタン、ＳＫＢ……ソフトウェアキーボード、ＧＢＤ……指示ボタン群、ＢＤＲ……登録ボタン、ＢＤＣ……キャンセルボタン、ＢＤＤ……呼び出しボタン、ＧＢＳ……桁送りボタン群、ＢＳＬ……左送りボタンＢＳＲ……右送りボタンＩＮ……記番号入力部、ＩＧ……桁単位入力部、ＧＦ……桁単位枠、ＤＤＮ……呼出記番号表示部、ＳＬＴ……字種提示部。
【図１】
2015191500.tif 000003
【図２】
2015191500.tif 000004
【図３】
2015191500.tif 000005
【図４】
2015191500.tif 000006
【図５】
2015191500.tif 000007
【図６】
2015191500.tif 000008
【図７】
2015191500.tif 000009
【図８】
2015191500.tif 000010
【図９】
2015191500.tif 000011
【図１０】
2015191500.tif 000012
【図１１】
2015191500.tif 000013
【図１２】
2015191500.tif 000014
【図１３】
2015191500.tif 000015
【図１４】
2015191500.tif 000016
【図１５】
2015191500.tif 000017
【図１６】
2015191500.tif 000018
【図１７】
2015191500.tif 000019